(57)【特許請求の範囲】
【請求項１】
ハードコーデックと、ソフトコーデックとを備え、通常モードではソフトコーデックを用いて通信する通信端末装置において、
発呼開始時刻優先モードがオンのときは、受信側の能力を受信し、ハードコーデックが必要であっても、ハードコーデックが空いていない場合は、ソフトコーデックを用いて通信することを特徴とする通信端末装置。
【請求項２】
ハードコーデックと、ソフトコーデックとを備えた通信端末装置において、
短縮ワンタッチダイヤルの宛先メモリに過去の通信方式を記憶しており、この過去の通信方式がハードコーデックが必要であれば、上記ハードコーデックが空くまで待ってから通信することを特徴とする通信端末装置。
【発明の詳細な説明】
【０００１】
【発明の属する技術分野】
本発明は、ハードコーデックと、ソフトコーデックとを備えた通信端末装置に関する。
【０００２】
【従来の技術】
ファクシミリ装置などの通信端末装置には、コーデック（ＣＯＤＥＣ：符号化／復号化部）として、ハードコーデックとソフトコーデックの双方を備えたものがある。
【０００３】
ハードコーデックは、通信以外に、画像の読取時や記録（プリント）時に使用される。ハードコーデックでは、高速の通信に対応できるようになっており、低速から高速までの通信すべてをカバーする。画像の読取時や記録時は、ハードコーデックでしか処理できないようになっている。したがって、ハードコーデックを使用した通信時には、並行して読取や記録ができない。
【０００４】
一方のソフトコーデックは、通信専用であり、低速の通信にのみ使用されるようになっている。ソフトコーデックを使用した通信時には、ハードコーデックを使用して、並行して読取や記録ができるようになっている。
【０００５】
【発明が解決しようとする課題】
ところが、上記従来の通信端末装置では、通信速度を優先したい場合でも、ソフトコーデックを使用して低速処理が行われたり、発呼の開始時期を優先したい場合でも、ハードコーデックが空くまで待ったりしていた。
【０００６】
本発明は、このような事情を考慮してなされたものであり、通信速度を優先した動作や発呼開始時刻を優先した動作ができる通信端末装置を提供することを目的としている。
【０００７】
【課題を解決するための手段】
上記目的を達成するために、本発明の請求項１に記載の通信端末装置では、発呼開始時刻優先モードがオンのときは、受信側の能力を受信し、ハードコーデックが必要であっても、ハードコーデックが空いていない場合は、ソフトコーデックを用いて通信することを特徴とする。
【０００９】
請求項２に記載の通信端末装置では、短縮ワンタッチダイヤルの宛先メモリに過去の通信方式を記憶しており、この過去の通信方式がハードコーデックが必要であれば、ハードコーデックが空くまで待ってから通信することを特徴とする。
【００１１】
【発明の実施の形態】
以下に、本発明の実施の形態について、図面とともに説明する。図１は、通信端末装置の構成の一例を示したブロック図である。ここには、通常のコピー機と同等の複写機能を果たすファクシミリ装置Ｆの構成を示したが、これには限定されず、ハードコーデックとソフトコーデックとを備えていればよく、通信機能とスキャナ機能とプリンタ機能とを備えたパソコンなどであってもよい。
【００１２】
図において、１は以下の各部を制御するＣＰＵ、２は原稿から画像を読み取るべく、光を電気信号に変換するＣＣＤ、３はＣＣＤ２の出力信号を２値に変換する等、読取画像の処理を制御する画処理部、４は所定の記録紙に画像を記録するプリンタ、５はプリンタ４へのビデオ信号の出力等を制御するプリンタ用ＬＳＩ、６はイメージデータと符号化データとを相互に変換するコーデック（ＣＯＤＥＣ：符号化／復号化部）であるハードコーデックである。
【００１３】
また、ファクシミリ装置Ｆには、予め制御プログラムなどを記憶したＲＯＭ７と、各種データを記憶するためのＲＡＭ８と、液晶ディスプレイやＬＥＤ等と各種操作キー等で操作パネルを構成するキー・パネル９と、ファクシミリ通信を行うために信号の変調と復調を行うモデム１０と、電話回線Ｌにダイヤル信号を送出し、電話回線Ｌに対する接続制御を行うＮＣＵ１１と、ＤＲＡＭ等で構成され、画像データを一時的に格納する画像メモリ１２とを接続している。
【００１４】
ファクシミリ送信時やソートコピー機能などによって、読取画像を一旦画像メモリ１２に格納するときには、画処理部３は、ＣＣＤ２によって読み取られ、２値化された画像データ（イメージデータ）を、ページ単位でページメモリ（不図示）に格納し、順次読み出して、ハードコーデック６によって符号化させ、画像メモリ１２に格納させている。
【００１５】
一方、ファクシミリ受信時などにおいて、画像メモリ１２に格納された符号化データをプリンタ４から記録するときには、画像メモリ１２に格納された符号化データを、ハードコーデック６によって復号し、ページ単位でページメモリに格納し、順次読み出して、プリンタ４から記録している。
【００１６】
また、ＲＯＭ７にはソフトコーデック７ａのプログラムを格納しており、ＣＰＵ１によってソフトコーデック７ａの機能を果たすようになっている。ソフトコーデック７ａは、ファクシミリ通信時に画像データを符号化又は復号化するようになっている。
【００１７】
このファクシミリ装置Ｆは、予め、キー操作などによって通信速度優先モードが設定できるようになっており、通信速度優先モードがオンのときは、ハードコーデック６が空くまで待ってから通信する一方、通信速度優先モードがオフのときは、ソフトコーデック７ａを用いて通信する。
【００１８】
高速のハードコーデック６が空くのを待ってから通信するので、通信速度を高速にできる一方、専用線などの通信料金が一定である場合には、通信速度は重視せず、操作性を重視して、ソフトコーデック７ａを使用し、並行して読取や記録ができるようにする。
【００１９】
また、このファクシミリ装置Ｆは、予め、キー操作などによって発呼開始時刻優先モードが設定できるようになっており、発呼開始時刻優先モードがオンのときは、受信側の能力を受信し、ハードコーデック６が必要であっても、ハードコーデック６が空いていない場合は、ソフトコーデック７ａを用いて通信する。ハードコーデック６が空いていない場合、ハードコーデック６が空くのを待たないので、発呼開始時刻を重視できる。
【００２０】
また、ＲＡＭ８に設けられた短縮ワンタッチダイヤルの宛先メモリに過去の通信方式を記憶しており、この過去の通信方式がハードコーデック６が必要であれば、ハードコーデック６が空くまで待ってから通信する。発呼する前に相手の能力が分かるので、無駄な発呼をしなくてもよい。
【００２１】
次に、上記した送信時の動作を図２〜図４のフローチャートを用いて説明する。宛先を操作入力し（１００）、その宛先がワンタッチか短縮で指定されたものではなく、発呼開始時刻優先モードではない場合、又は、その宛先がワンタッチか短縮で指定されたものであるが、過去の通信方式を判断する設定ではなく、発呼開始時刻優先モードではない場合、通信速度優先モードのオン、オフを判断する（１０１〜１０４）。
【００２２】
通信速度優先モードがオンのときは（１０４のＹ）、ハードコーデック６が使用中であれば、ハードコーデック６が空くまで待ってから、ハードコーデック６を確保して、宛先にダイヤルし、Ｖ．８手順で通信を開始する（１０５〜１０８）。
【００２３】
続いて、相手の通信能力を解析して、ソフトコーデック７ａで通信が可能か、つまり例えばＶ．２１手順で通信を行う相手であれば、相手の通信能力が低いので、ハードコーデック６を解放し、ソフトコーデック７ａを確保してＶ．２１手順で通信を行う一方、ソフトコーデック７ａで通信が可能でなければ、確保しているハードコーデック６でＶ．８手順で通信を行う（１０９〜１１４）。これによって、通信能力が低い相手との通信中には、並行して読取や記録ができる。
【００２４】
通信速度優先モードがオフのときは（１０４のＮ）、ソフトコーデック７ａを確保して、宛先にダイヤルし、Ｖ．２１手順で通信を行う（１１５〜１１７，１１４）。
【００２５】
ここに、Ｖ．８手順は、Ｖ．３４などの高速通信の開始手順による通信の確立前に、セッション確立を図る手順である一方、Ｖ．２１手順は比較的低速の通信手順である。
【００２６】
Ｖ．８、Ｖ．３４使用の通信の場合は高速処理可能なハードコーデック６が必要であり、Ｖ．２１の場合は、ハードコーデック６よりも低速なソフトコーデック７ａで処理できる。
【００２７】
操作入力した宛先が、ワンタッチか短縮で指定されたものであり、過去の通信方式を判断する設定である場合は（１０１のＹ，１０２のＹ）、まず、該当するワンタッチの属性を読み出し、過去にＶ．８手順で通信が行われたかをチェックする（１２０，１２１）。
【００２８】
Ｖ．８手順で通信が行われた場合、ハードコーデック６が空いているかを調べ、空いていれば、ハードコーデック６を確保して、宛先にダイヤルしてＶ．８手順で通信を行う（１２２〜１２８）。ハードコーデック６が空いていない場合は、通信速度優先モードであれば（１２９のＹ）、ハードコーデック６が空くのを待ってから通信を行うが（１２３〜１２８）、通信速度優先モードでなければ（１２９のＮ）、ソフトコーデック７ａを確保して、宛先にダイヤルし、Ｖ．２１手順で通信を行う（１３０〜１３２，１２８）。
【００２９】
また、過去にＶ．８手順で通信が行われたかをチェックして、Ｖ．８手順で通信が行われていない場合は（１２２のＮ）、ソフトコーデック７ａを確保して、宛先にダイヤルし、Ｖ．２１手順で通信を行う（１３０〜１３２，１２８）。
【００３０】
操作入力した宛先がワンタッチか短縮で指定されたものではなく（１０１のＮ）、発呼開始時刻優先モードである場合（１０３のＹ）、又は、その宛先がワンタッチか短縮で指定されたものであるが（１０１のＹ）、過去の通信方式を判断する設定ではなく（１０２のＮ）、発呼開始時刻優先モードである場合（１０３のＹ）、すぐに宛先にダイヤルする（１４０）。
【００３１】
ＣＮＧ（起呼トーン）を送出し、２１００Ｈｚを検出すれば、検出した信号がＤＩＳ（デジタル識別信号）かＡＮＳａｍ（変形応答トーン）かを判別し（１４１〜１４４）、ＡＮＳａｍであれば（１４５のＹ）、ハードコーデック６が空いている場合は（１４６のＹ）、ハードコーデック６を確保し、Ｖ．８手順で送信を開始する（１４７〜１４９）。
【００３２】
検出した信号がＤＩＳである場合や（１４５のＮ）、検出した信号がＡＮＳａｍであるが、ハードコーデック６が空いていない場合は（１４６のＮ）、ソフトコーデック６を確保し、Ｖ．２１手順で送信を開始する（１５０，１５１，１４９）。
【００３３】
次に、受信時の動作を図５に示す。受信を開始したときに、ハードコーデックが空いている場合は（２０１のＹ）、ハードコーデックを確保し、ＡＮＳａｍ，ＤＩＳを送出する（２０２，２０３）。これに対して、ＣＭ（起呼メニュー）信号を検出すれば（２０４のＹ）、Ｖ．８手順で受信を開始する（２０５，２０６）。
【００３４】
受信を開始したときに、ハードコーデックが空いていない場合や（２０１のＮ）、送出したＡＮＳａｍ，ＤＩＳに対して、ＣＭ信号を検出しなければ（２０４のＮ）、ハードコーデック６を解放し、ソフトコーデック７ａを確保してＶ．２１手順で受信を開始する（２０７〜２０９，２０６）。
【００３５】
図６には、設定操作処理を示している。通信速度優先を指定した場合は、通信速度優先設定（通信速度優先モード）をオンにする一方、通信速度優先を指定しない場合は、通信速度優先設定をオフにする（３００〜３０２）。また、発呼時刻優先を指定した場合は、発呼時刻優先設定（発呼開始時刻優先モード）をオンにする一方、発呼時刻優先を指定しない場合は、発呼時刻優先設定をオフにする（３０３〜３０５）。
【００３６】
また、通信速度優先モードは、時刻に応じてオン、オフされるようになっている。これによって、夜間など人がいないときに、操作性を重視しなくてもよいので、通信速度を優先させて、装置を有効利用することができる。
【００３７】
図７には、このときの動作をフローチャートで示している。ここでは、２２時から翌日の朝９時までを通信速度優先モードをオンにしている。１分単位の時計割り込みにおいて、２２時になれば、強制的に通信速度優先モードをオンにして、前の設定状態を退避しておく。そして朝９時になれば、通信速度優先モードを退避していた状態に戻す（４００〜４０３）。
【００３８】
なお、ここでは通信速度優先モードを時刻に応じてオン、オフさせる場合を示したが、発呼開始時刻優先モードも時刻に応じてオン、オフさせるようにしてもよい。
【００３９】
【発明の効果】
以上の説明からも理解できるように、本発明の請求項１に記載の通信端末装置では、発呼開始時刻優先モードがオンのときは、受信側の能力を受信し、ハードコーデックが必要であっても、ハードコーデックが空いていない場合は、ハードコーデックが空くのを待たずに、ソフトコーデックを用いて通信するので、発呼開始時刻を重視できる。
【００４１】
請求項２に記載の通信端末装置では、短縮ワンタッチダイヤルの宛先メモリに記憶された過去の通信方式が、ハードコーデックが必要であれば、ハードコーデックが空くまで待ってから通信するので、発呼する前に相手の能力が分かり、無駄な発呼をしなくてもよい。
【図面の簡単な説明】
【図１】本発明の通信端末装置の構成の一例を示すブロック図である。
【図２】本発明の通信端末装置の動作の一例を示すフローチャートである。
【図３】本発明の通信端末装置の動作の他の例を示すフローチャートである。
【図４】本発明の通信端末装置の動作の他の例を示すフローチャートである。
【図５】本発明の通信端末装置の動作の他の例を示すフローチャートである。
【図６】本発明の通信端末装置の動作の他の例を示すフローチャートである。
【図７】本発明の通信端末装置の動作の他の例を示すフローチャートである。
【符号の説明】
１    ＣＰＵ
６    ハードコーデック
７ａ  ソフトコーデック
１２  画像メモリ
【図１】
0003586771.tif 000002
【図２】
0003586771.tif 000003
【図３】
0003586771.tif 000004
【図４】
0003586771.tif 000005
【図５】
0003586771.tif 000006
【図６】
0003586771.tif 000007
【図７】
0003586771.tif 000008